(57)【特許請求の範囲】
【請求項１】
インクタンクからペン体へ供給されるインクの流量を調整するインク流量調整機構を備えた筆記具において、
前記インク流量調整機構は、軸筒周壁に弾性壁部を有し、該弾性壁部が押されることにより軸筒内の弁部材を開閉動するように構成され、
前記インクタンクを複数設けるとともに、それら複数のインクタンクの各々に対応して前記インク流量調整機構を複数設け、
ペン体へ供給されるインクの流量を選択されるインクタンク毎に調整可能にしたことを特徴とする筆記具。
【請求項２】
上記弾性壁部が、軸筒外周壁における把持される部位に配置されていることを特徴とする請求項１記載の筆記具。
【請求項３】
上記弾性壁部が、二重成形により形成されていることを特徴とする請求項１又は２記載の筆記具。
【請求項４】
上記インクタンクを交換可能に構成したことを特徴とする請求項１乃至３何れか１項記載の筆記具。
【請求項５】
上記複数のインクタンクには、各々異なる色のインクが充填されていることを特徴とする請求項１乃至４何れか１項記載の筆記具。
【請求項６】
上記ペン体は、その後端側が上記各インクタンクに対応して仕切られるとともに、その前端側が一体状に構成されていることを特徴とする請求項５記載の筆記具。
【請求項７】
上記ペン体は、その後端側が上記各インクタンクに対応して仕切られるとともに、その前端側が上記各インクタンクに対応して分離されていることを特徴とする請求項５記載の筆記具。
【請求項８】
上記ペン体は、筆ペン用ペン体であることを特徴とする請求項１乃至６何れか１項記載の筆記具。
【請求項９】
インクタンクからペン体へ供給されるインクの流量を調整するインク流量調整機構を備えた筆記具において、
前記インク流量調整機構は、軸筒後端部に弾性壁部を有し、該弾性壁部が押されることにより軸筒内の弁部材を開閉動するように構成され、
前記インクタンクを複数設けるとともに、それら複数のインクタンクの各々に対応して前記インク流量調整機構を複数設け、
ペン体へ供給されるインクの流量を選択されるインクタンク毎に調整可能にしたことを特徴とする筆記具。
【発明の詳細な説明】
【０００１】
【発明の属する技術分野】
本発明は、ペン体へ供給されるインクの流量を調整可能な筆記具に関するものである。
【０００２】
【従来の技術】
従来、この種の筆記具には、例えば実開昭５９−６８９８４号公報に開示されているもののように、ペン体を被筆記面に押し付けることで弁体を開閉動させるインク流量調整機構を具備したものがある。
しかしながら、上記従来の筆記具では、繰り返しペン体が筆記面に押し付けられるためペン体の前端が変形してしまったり、押し付け操作の際に急にインクが流出して被筆記面を汚してしまったり等の問題点を有していた。
そこで、軸筒の外面に押しボタンを設け、その押しボタンにより弁を開閉動させるようにすることが考えられるが、押しボタンの周囲からインクが漏れることが懸念され、その密封構造には工夫を要する。
【０００３】
また、上記従来のインク流量調整機構を用いて例えば特開昭６３−３０２０９６号公報に開示されいるもののような多色筆記具を構成した場合、ペン体が複数並設されているために、何れかのペン体のみを押付け操作するのが困難である。
したがって、前記多色筆記具では、インク流量調整機構を用いることができず、長時間筆記した際に、筆記先端部の筆圧の偏りにより、複数色の筆記線の内の何れかの色が掠れてしまうという問題を有するのが現状であった。
【０００４】
【発明が解決しようとする課題】
本発明は上記従来事情に鑑みてなされたものであり、その目的とする処は、インク漏れの心配がない上、容易にインクの流量調整を行え、更には、多色筆記具を構成した場合に、各色を掠れることなく均等な濃度に筆記でき、選択した色のみを濃く筆記することもできる筆記具を提供することにある。
【０００５】
【課題を解決するための手段】
上記課題を解決するための本発明の技術的手段は、インクタンクからペン体へ供給されるインクの流量を調整するインク流量調整機構を備えた筆記具において、前記インク流量調整機構は、軸筒周壁に弾性壁部を有し、該弾性壁部が押されることにより軸筒内の弁部材を開閉動するように構成され、前記インクタンクを複数設けるとともに、それら複数のインクタンクの各々に対応して前記インク流量調整機構を複数設け、ペン体へ供給されるインクの流量を選択されるインクタンク毎に調整可能にしたことを特徴とする。
【０００６】
ここで、弾性壁部が押されることにより軸筒内の弁部材を開閉動するインク流量調整機構とは、具体的な一例としては、インク流路を閉鎖すべく付勢された弁部材と、上記弾性壁部の内面に押されることで前記弁部材を開方向へ押し動かす操作部材とを具備した構成等である。
【０００７】
上記技術的手段によれば、インクタンクから吐出されるインクが、インク流量調整機構によって流量調整されてペン体へ供給される。その流量調整操作は、弾性壁部が押されることにより軸筒内の弁部材を開閉動させるため、密封構造が維持された状態で行われる。
しかも、選択されるインクタンクに対応するインク流量調整機構の弾性壁部が押されることで、その選択されたインクタンクのインクのみをペン体へ供給することができる。
【０００８】
また、上記流量調整の際の操作性をより向上するためには、上記弾性壁部が、軸筒外周壁における把持される部位に配置される。
ここで、把持される部位とは、通常の筆記姿勢で把持される場合が多い部位を意味し、軸筒外周壁の前部側を含む。
【０００９】
更に、上記インク流量調整機構の密封性をより確実にするためには、上記弾性壁部が、二重成形により形成される。
【００１０】
また、上記インクタンクを交換可能に構成すれば、インク流量調整機構及びペン体等を廃棄することなく長期間有効に利用することができる。
【００１２】
更に、上記複数のインクタンクに各々異なる色のインクを充填すれば、選択された色に対応するインク流量調整機構が操作されることで、選択された色のみを流量調整してペン体へ供給できる。
【００１３】
また、上記ペン体の後端側を各インクタンクに対応して仕切るとともに前端側を一体状に構成すれば、複数色のインクがペン体の前端側で徐々に混ざりあいながら筆記先端部から吐出される。
また、上記ペン体の後端側を上記各インクタンクに対応して仕切るとともに、その前端側を上記各インクタンクに対応して分離するように構成すれば、複数色のインクが混ざり合うことなく筆記先端部から吐出される。
【００１４】
また、上記ペン体を筆ペン用ペン体で構成すれば、柔軟材料からなる筆ペン用ペン体へ容易にインクを供給することができる。
【００１５】
また、インクタンクからペン体へ供給されるインクの流量を調整するインク流量調整機構を備えた筆記具において、前記インク流量調整機構は、軸筒後端部に弾性壁部を有し、該弾性壁部が押されることにより軸筒内の弁部材を開閉動することを特徴とする。
ここで、上記軸筒後端部に弾性壁部を有しとは、外部から押されることにより軸筒後端が軸筒内へ弾性的に窪むように、軸筒の後端部を、合成ゴムやエラストマー樹脂等の弾性変形可能な材料で構成していることを意味し、この弾性壁部は周知の蛇腹状の構成を含まない。
【００１６】
【発明の実施の形態】
以下、本発明の実施の形態を図面に基づいて説明する。
図１は、本発明に係わる筆記具の一例を示す。
この筆記具Ａは、顔料タイプの水性インクが充填されたインクタンク１０と、該インクタンク１０から吐出されるインクの流量を調整するインク流量調整機構３０とにより軸筒１を構成するとともに、該軸筒１の前端にペン体２０を備え、軸筒１外周壁に構成された弾性壁部３１ｂが押されることにより、軸筒１内の弁部材３３を開閉動するようにした直液式の筆記具である。
【００１７】
尚、本実施の形態の筆記具Ａでは、インクタンク１０を複数（図示例では３本）設けるとともに、それら複数のインクタンク１０の各々に対応して上記インク流量調整機構３０を複数設け、前記複数のインクタンク１０に各々異なる色のインクを充填することで、ペン体２０へ供給されるインクの流量を選択される色毎に調整可能にした特に好ましい一例を示している。
【００１８】
各インクタンク１０は、前端部を開口するとともに後端部を閉鎖した横断面略扇形の筒状を呈する。そして、各インクタンク１０は、継手部材１１を介して後述するインク流量調整機構３０の弁室構成体３１に接続されることで軸心周りに複数束ねられ、軸筒１の後部側を構成している。
また、各インクタンク１０内には、顔料インクが充填されるとともに、その顔料インク内の顔料を攪拌するための攪拌子１０ａが軸方向に遊動自在に収納されている。
【００１９】
尚、各インクタンク１０は、インク流量調整機構３０へ着脱交換可能に接続するようにしても構わない。この場合、インクタンク１０内周面の前端側に、継手部材１１の後端部によって突き破られる膜を形成すればよい。この構成によれば、早くインクが消耗されたインクタンク１０のみをインクが充満されている新しいインクタンク１０に交換したり、任意のインクタンク１０を異なる色のインクが充填されたインクタンク１０に交換したりすることができる。
【００２０】
上記継手部材１１は、略筒状を呈し、その内周面に上記攪拌子１０ａによって開閉される弁座１１ａを形成してなる。そして、インクタンク１０毎に設けられた各継手部材１１は、各々その前端部がインク流量調整機構３０の弁室構成体３１に接続されている
【００２１】
インク流量調整機構３０は、インク流路を閉鎖するように付勢された弁部材３３と、該弁部材３３を開放するように押し動かす操作部材３４とを、弁室３内に具備してなり、該弁室３を弁室構成体３１内に三つ構成することで、三本のインクタンク１０，１０，１０の各々に対応する複数構成になっている。
そして、これら複数のインク流量調整機構３０は、前記弁室構成体３１外周の弾性壁部３１ｂを、軸筒１外周壁における把持される部位に配置するように、軸筒１の前部側に設けられている。
【００２２】
前記弁室構成体３１は、二重成形によって一体的に形成され、ポリプロピレン等の硬質樹脂材料から一次成形される本体３１ａと、熱可塑性エラストマー樹脂等の軟質樹脂材料から二次成形される弾性壁部３１ｂとからなる。
【００２３】
本体３１ａは、筒体内を周方向に三等分して仕切り三つの弁室３を形成するとともに、その仕切られた弁室３の周壁に、弾性壁部３１ｂを嵌め合わせるための窓部３１ａ１を形成している。
そして、弾性壁部３１ｂは、本体３１ａを覆い包む略筒状に成形され、その周壁が本体３１ａの前記各窓部３１ａ１に嵌め合わせられている。
【００２４】
弁部材３３は、各弁室３内で軸方向に移動するように形成された略軸状の一体部材であり、その後端側に、攪拌子１０ａを押すことで該攪拌子１０ａと継手部材１１内の弁座１１ａとの間を開弁する押軸部３３ａが形成され、前端側には、後述するペン体保持カバー４０の後端弁座部４１ａとの間を開閉する弁部３３ｂが形成されている。
【００２５】
更に、この弁部材３３は、前記弁部３３ｂの前端側に、後述するペン体保持カバー４０内のインク通路４３を開閉するインク通路開閉軸部３３ｄが形成され、また、前記押軸部３３ａと前記弁部３３ｂとの間には、遠心方向に突出する凸部３３ｃが形成されている。
【００２６】
そして、この弁部材３３は、前記押軸部３３ａの周囲に設けられたスプリング３２によって前方に付勢された状態で、弁室構成体３１の本体３１ａ内に案内されながら軸方向へ摺動するように組み付けられている。
【００２７】
操作部材３４は、後端側で継手部材１１の内周面に嵌着した嵌合筒部３４ａと、該嵌合筒部３４ａの前端部から弾性壁部３１ｂに沿って前方に延出された揺動片部３４ｂと、該揺動片部３４ｂの前端部で軸筒の求心方向に突出した三角状の突起部３４ｃとから一体に形成され、弾性壁部３１ｂが外部から押されて弾性変形することにより操作される。
【００２８】
すなわち、弾性壁部３１ｂが外部から押されると、弾性変形した弾性壁部３１ｂの内面によって揺動片部３４ｂが弾性的に撓み、揺動片部３４ｂ前端部の突起部３４ｃが軸筒１の求心方向へ動く。その際、該突起部３４ｃの傾斜面３４ｃ１が弁部材３３の凸部３３ｃに摺接することで、弁部材３３が後方（図１における上方）へ押し動かされる（図８参照）。
【００２９】
ペン体保持カバー４０は、後端側の三つのインク導入部４１，４１，４１と、前端側の三つのペン体保持部４２，４２，４２とから一体に形成され、インク流量調整機構３０の前端部に嵌着されている。
【００３０】
各インク導入部４１は、上記した三つの弁室３，３，３のそれぞれに対応して、各弁室３内へ嵌合可能な筒状に形成され、その後端面に、弁部材３３の弁部３３ｂによって開閉される後端弁座部４１ａを形成している。
【００３１】
また、各ペン体保持部４２は、後述するペン体２０を嵌合可能な筒状に形成され、隣り合うペン体保持部４２との間に仕切壁４２ａを有する（図４（ａ）参照）。
【００３２】
そして、各インク導入部４１と各ペン体保持部４２とは、インク導入部４１前端側の内壁面からペン体保持部４２の後端面にわたるインク通路４３によって連通されている（図１及び図３参照）。
【００３３】
各ペン体２０は、ペン体保持カバー４０の各ペン体保持部４２に嵌着された状態で、その筆記先端部２０ａの側面が隣り合うペン体２０の筆記先端部２０ａの側面に当接するように、筆記先端部２０ａが幅広に形成されている（図４（ａ）参照）。
そして、ペン体保持カバー４０には、三本のペン体２０，２０，２０がそれらの筆記先端部２０ａ同士を当接させることで一体状に保持される（図４（ｂ）参照）。
尚、図中符号７０は、ペン体２０，２０，２０を保護するように弁室構成体３１の前端部外周に嵌められ、使用時に外されるキャップである。
【００３４】
上記構成の筆記具Ａによれば、インク流量調整機構３０が弾性壁部３１ｂを弾性変形させることにより操作される密封構造になっているため、インク漏れの心配がなく、弾性壁部３１ｂを外部から押す操作により容易に流量調整できる。
その上、各ペン体２０が後方から異なる色のインクの供給を受け、それらインクを、隣接した三本の筆記先端部２０ａ，２０ａ，２０ａから吐出することになる。その吐出の際、隣り合うインク同士が筆記先端部２０ａ，２０ａの前端側（当接部）で混ざり合うため、紙面等の被筆記面に書かれる筆記線Ｌは、隣り合う異なる色のインクがそれらの境界近傍で若干混ざりあったグラデーション風の線になる（図７参照）。
また、長時間の筆記により何れかの色が掠れてしまった場合や、何れかの色のみを濃く強調したい場合等には、その色に対応するインク流量調整機構３０を、弾性壁部３１ｂを押すことで操作すれば、その選択された色のみをペン体２０へ供給することができる（図８参照）。
【００３５】
尚、三本のペン体２０，２０，２０は、図５（ａ）に示す態様のペン体５０、または図６（ａ）に示す態様のペン体８０に置き換えても構わない。
図５（ａ）に示すペン体５０は、上記態様の三本のペン体２０，２０，２０を幅広の筆記先端部２０ａ同士で接合した一体状に形成され、後端側の二つのスリット部５０ａ，５０ａをペン体保持カバー４０の上記仕切壁４２ａ，４２ａに嵌め合わせるようにして、ペン体保持部４２ａ内に嵌着される（図５（ｂ）参照）。
【００３６】
また、図６（ａ）に示すペン体８０は、その後端から前端にわたって略同一の幅に形成され、仕切壁４２ａ，４２ａによって仕切られた状態で、ペン体保持カバー４０に嵌着される（図６（ｂ）参照）。すなわち、複数のペン体８０は、ペン体保持カバー４０に嵌着された状態において、後端側が上記各インクタンク１０に対応して仕切られるとともに、前端側が上記各インクタンク１０に対応して分離されている。
したがって、このペン体８０によれば、複数色のインクが混ざり合うことなく筆記先端部８０ａから吐出される。
【００３７】
また、上記筆記具Ａでは、三色の筆記具を例示しているが、単色、または二色や四色以上の複数色の筆記具の構成も可能である。
例えば、図９に示す筆記具Ｂは、単色の筆記具を構成したものである。
この筆記具Ｂは、大まかには上記筆記具Ａを周方向に三分割した構成、すなわちインクタンク１０、及びインク流量調整機構３０、ペン体２０をそれぞれ単数にした構成になっており、上記筆記具Ａと基本構造が同様である部位に同一の符号を付けることで重複説明を省略する。
【００３８】
次に、図１０に示す筆記具Ｃについて説明する。
この筆記具Ｃは、上述した筆記具Ａに対し、弾性壁部３１ｂを軸筒１の後端部に配置するようにインク流量調整機構３０’を構成したものであり、上記筆記具Ａと基本構造が同様である部位については、同一の符号を付けるとともに、重複する詳細説明を省略する。
【００３９】
インク流量調整機構３０’は、軸筒後部１ａの後端部に弾性壁部３１ｂを有し、該弾性壁部３１ｂが押されることにより軸筒前部１ｂ内の弁部材３６を開閉動するように構成されている。
【００４０】
軸筒後部１ａは、内部に複数のインクタンク１０を収納する筒状に形成され、その後端開口部に弾性壁部３１ｂが嵌着されるとともに、その前端開口部には、ネジ嵌合又は圧入等によって軸筒前部１ｂが接続されている。
【００４１】
各インクタンク１０内には、軸方向へ遊動自在な攪拌子１７と、その攪拌子１７の略軸心を貫通して軸方向へ摺動自在な作動棒１８とを有する。
【００４２】
そして、前記複数のインクタンク１０は、継手部材１５を介して前軸部１ｂに接続されている。
【００４３】
継手部材１５は、その内部にインクタンク１０毎のインク通路１５ａを形成しており、各インク通路１５ａの後端開口部には、攪拌子１７下端部との間にインクを流通させるインク流通溝１５ｂが複数形成され、また、同インク通路１５ａの前端開口部が弁座１５ｃになっている。
【００４４】
前軸部１ｂは、その内部の弁室５に、スプリング１６によって後方へ付勢された弁部材３６を有する。該弁部材３６は、作動棒１８の前端に当接されており、作動棒１８の軸方向への摺動に伴って、継手部材１５の弁座１５ｃを開閉する。
【００４５】
そして、この筆記具Ｃによれば、弾性壁部３１ｂが選択されたインクタンク１０に対応する部位で後方から押されると、作動棒１８が、弾性変形した弾性壁部３１ｂの内面に押されて前方へ摺動し、弁部材３６を前方へ押し動かして、継手部材１５の弁座１５ｃを開放する。
したがって、インクタンク１０内のインクは、インク流通溝１５ｂ、及び継手部材１５内のインク通路１５ａ、前軸部１ｂ内のインク通路１ｂ−１等を流通してペン体２０へ供給される。
【００４６】
次に、図１１に示す態様の筆記具Ｄについて説明する。
この筆記具Ｄは、二本のインクタンク１０，１０と、各インクタンク１０から吐出されるインクを選択される色毎に流量調整するインク流量調整機構３０と、該インク流量調整機構３０からペン体保持カバー４０を介してインク及び水の供給を受ける筆ペン用ペン体６０とを具備した筆ペンであり、前記二本のインクタンク１０，１０の一方には顔料タイプの水性黒色インクが、また他方には、水や、予め水で薄められた水性黒色インク等の薄め液が充填されている。
【００４７】
尚、この筆記具Ｄは、上記筆記具Ａが三色筆記具に構成されているのに対し、二色筆記具（本実施の形態では水性黒色インクと薄め液とを筆ペン用ペン体６０へ供給するようにした筆記具）に構成するように、インクタンク１０及びインク流量調整機構３０、ペン体保持カバー４０の形状を変更するとともに、上記ペン体２０，２０，２０を筆ペン用ペン体６０に置き換えたものであり、上記筆記具Ａと基本構造が同様である部位については、同一の符号を付けることで重複説明を省略する。
【００４８】
筆ペン用ペン体６０は、柔軟性を有する一般的な筆ペン用のペン体であり、ナイロン繊維やポリエステル繊維、連続気泡を有するウレタン樹脂等から一体に形成されている。そして、この筆ペン用ペン体６０は、後端側がペン体保持カバー４０のペン体保持部４２に嵌着されている。
【００４９】
而して、上記構成の筆記具Ｄによれば、後方から供給される水性黒色インクと薄め液との双方を筆ペン用ペン体６０の筆記先端部から吐出することになる。その際、水性黒色インクと薄め液とは、筆ペン用ペン体６０内を流動する過程で混ざり合い、筆記先端部から吐出されることになる。
【００５０】
したがって、上記構成の筆記具Ｄは、水性黒色インクと薄め液とをインク流量調整機構３０により各々流量調整して吐出できるため、筆記線の濃度を調整して文字が書けるのは勿論のこと、筆記線の微妙な濃淡調整を要する水墨画を書くのにも適している。
【００５１】
尚、上記実施の形態では、筆記具Ａ，Ｂ，Ｃ，Ｄの何れも、顔料タイプの水性インクを用いた例を示しているが、染料タイプの水性インクを用いることも可能である。この場合、顔料を撹拌するための攪拌子１０ａ，１７を省いて、インク流量調整機構をより簡素な構造にすることができる。
【００５２】
また、上記実施の形態では、ペン体２０，５０，８０の周面に空気交換用の通路を設けずに、筆記先端部で空気交換が行われるようにしているが、必要に応じて、ペン体保持カバー４０のペン体保持部４２内壁面に空気交換用の溝を形成しても構わない。
【００５３】
【発明の効果】
本発明によれば、インク流量調整機構が弾性壁部を弾性変形させることにより操作される密封構造になっているため、インク漏れの心配がない上、弾性壁部を外部から押すことで容易にインクの流量調整を行うことができる。
その上、インクタンクを複数設けるとともにそれら複数のインクタンクの各々に対応して上記インク流量調整機構を複数設けたから、選択されるインクタンク毎にインクの流量を調整することができる。
また、本発明が具備するインク流量調整機構は、従来のもののようにペン体を被筆記面に押し付けて操作する構造でなく、軸筒周壁の弾性壁部を外部から押すことで操作されるため、ペン体を押し付ける操作によって該ペン体の筆記先端部が変形してしまうようなことがない。
しかも、弾性壁部が把持される部位に配置された態様によれば、インクの流量調整を筆記姿勢のまま容易に行うことができ、その上、把持された際の滑り防止や把持感触の向上等、弾性壁部がグリップとしての作用効果を奏する。
更に、弾性壁部を二重成形により形成すれば、インク流量調整機構の密封構造をより確実なものにすることができる。
更に、インクタンクを交換可能に構成すれば、インク流量調整機構やペン体等を廃棄することなく、長期間有効に利用することができる。
その上、複数のインクタンクに各々異なる色のインクを充填すれば、各インクタンクから吐出されるインクを選択される色毎に流量調整してペン体へ供給することができる。したがって、長時間筆記した際に筆記先端部の筆圧の偏りにより何れかの色の筆記線が掠れてしまうという従来の多色筆記具の問題を解消して、各色を均等な濃度に筆記できる上、故意に選択した色のみを濃く筆記することもできる。
更に、上記ペン体の後端側を各インクタンクに対応して仕切るとともに前端側を一体状に形成すれば、複数色のインクがペン体の前端側で徐々に混ざりあいながら筆記先端部から吐出されるため、隣り合う異なる色のインクがそれらの境界近傍で混ざりあったグラデーション風の筆記線を得ることができる。
また、上記ペン体の後端側を上記各インクタンクに対応して仕切るとともに、その前端側を上記各インクタンクに対応して仕切るように構成すれば、隣り合う異なる色のインクが混ざり合うことのない複数色の筆記線を得ることができ、しかも、各色の濃淡をインク流量調整機構によって調整することができる。
また、上記ペン体を筆ペン用ペン体にした態様によれば、従来では柔軟なペン体を有するためにペン体の押し付け操作によるインク流量調整が困難であった筆ペンを、インク流量調整が容易な構造にすることができる。
また、弾性壁部を軸筒後端部に有する態様によれば、軸筒後端のノック操作により、インク漏れを生じることなく容易にインクの流量調整を行うことができる。
【図面の簡単な説明】
【図１】  本発明に係わる筆記具の一例を示す縦断面図。
【図２】  図１における（Ｉ）−（Ｉ）線断面図。
【図３】  図１における（ＩＩ）−（ＩＩ）線断面図。
【図４】  ペン体の一例を示す斜視図であり、（ａ）はペン体をペン体保持カバーに嵌入する前の状態、（ｂ）はペン体をペン体保持カバーに嵌入した後の状態を示す。
【図５】  ペン体の他例を示す斜視図であり、（ａ）はペン体をペン体保持カバーに嵌入する前の状態、（ｂ）はペン体をペン体保持カバーに嵌入した後の状態を示す。
【図６】  ペン体の他例を示す斜視図であり、（ａ）はペン体をペン体保持カバーに嵌入する前の状態、（ｂ）はペン体をペン体保持カバーに嵌入した後の状態を示す。
【図７】  同筆記具により複数色からなる筆記線が書かれた状態を示す斜視図。
【図８】  本発明に係わる筆記具の使用状態図であり、要部を切欠して示している。
【図９】  本発明に係わる筆記具の他例を示す縦断面図。
【図１０】  本発明に係わる筆記具の他例を示す縦断面図。
【図１１】  本発明に係わる筆記具の他例を示す縦断面図。
【符号の説明】
３：弁室
１０：インクタンク
２０：ペン体
３０：インク流量調整機構
３３：弁部材
３４：操作部材
３１ｂ：弾性壁部
４０：ペン体保持カバー
６０：筆ペン用ペン体
Ａ，Ｂ，Ｃ，Ｄ：筆記具
【図１】
0004739557.tif 000002
【図２】
0004739557.tif 000003
【図３】
0004739557.tif 000004
【図４】
0004739557.tif 000005
【図５】
0004739557.tif 000006
【図６】
0004739557.tif 000007
【図７】
0004739557.tif 000008
【図８】
0004739557.tif 000009
【図９】
0004739557.tif 000010
【図１０】
0004739557.tif 000011
【図１１】
0004739557.tif 000012